(57)【要約】【課題】端子の構成を簡易化でき、端子を小型化することが容易な回路接続装置及び電子機器装置を提供すること。【解決手段】回路接続装置１は、第１支持体１５の端子支持部５１の第１規制部６１は、第１支持体１５に保持された第１端子１１の羽根部４５のＸ軸方向後側に係止することにより、第１端子１１の保持位置からＸ軸方向後側への移動を規制することができる。また、第２支持体１７は係止部８９によって第１支持体１５と係合して、一体の結合体９１となっている。この結合体９１となることにより、第２支持体１７の第２規制部６９が、端子支持部５１側に突出して規制用凹部６７に嵌って羽根部４５のＸ軸方向前側に係止する。これにより、第１端子１１のＸ軸方向前側への移動を規制することができる。この回路接続装置１に用いられる第１端子１１は、構成を簡易化できるので、第１端子１１を小型化できる。【選択図】図２
2020102373.tif 000002
【特許請求の範囲】
【請求項１】
長手方向の一端側にリード線が接続された複数の端子と、
前記端子を保持位置にて保持する保持部材と、
前記端子の前記保持部材からの抜けを防止する抜け防止部材と、
を備え、
前記端子は、前記長手方向に延びる中心部と、前記中心部から径方向に突出する羽根部と、を有し、
前記保持部材は、前記保持部材に保持された前記端子の前記羽根部の前記一端側に係止して、前記端子の前記保持位置から前記一端側への移動を規制する第１規制部を有し、
前記抜け防止部材は、
前記保持部材に係止して、前記抜け防止部材と前記保持部材とを一体に固定する係止部と、
前記保持部材に保持された前記端子側に突出して前記羽根部に係止し、前記端子の他端側への移動を規制する第２規制部と、を有する、
回路接続装置。
【請求項２】
前記保持部材は、前記抜け防止部材の前記第２規制部が嵌る凹部又は貫通孔を有する、
請求項１に記載の回路接続装置。
【請求項３】
前記第２規制部は、前記羽根部の前記他端側の端部に係止する、
請求項１又は請求項２に記載の回路接続装置。
【請求項４】
前記羽根部は、前記長手方向と直交する方向における両側に設けられている、
請求項１から請求項３までのいずれか１項に記載の回路接続装置。
【請求項５】
前記羽根部は板状であり、前記端子の中心軸を通る平面に沿って設けられている、
請求項１から請求項４までのいずれか１項に記載の回路接続装置。
【請求項６】
前記抜け防止部材は、前記複数の端子を配置した配置方向に延びる延長部を有し、前記延長部は、前記配置方向の両端部に前記保持部材に係止する前記係止部を有する、
請求項１から請求項５までのいずれか１項に記載の回路接続装置。
【請求項７】
前記抜け防止部材は、前記複数の端子を配置した配置方向に延びる延長部を有し、前記延長部は、複数の前記第２規制部を有する、
請求項１から請求項６までのいずれか１項に記載の回路接続装置。
【請求項８】
請求項１から請求項７までのいずれか１項に記載の回路接続装置と、
前記回路接続装置の前記複数の端子に接続された回路基板と、
を備えた電子機器装置。
【請求項９】
請求項１から請求項７までのいずれか１項に記載の回路接続装置と、
前記回路接続装置の複数の前記リード線に接続された電子機器と、
を備えた電子機器装置。
【請求項１０】
請求項１から請求項７までのいずれか１項に記載の回路接続装置と、
前記回路接続装置の前記複数の端子に接続された回路基板と、
前記回路接続装置の複数の前記リード線に接続された電子機器と、
を備えた電子機器装置。
【発明の詳細な説明】
【技術分野】
【０００１】
本開示は、回路接続装置及び電子機器装置に関する。
【背景技術】
【０００２】
例えば自動車のセンサ装置等において、センサを制御又は駆動するための回路基板をケースで保護したものが公知である。このようなセンサ装置では、ケース内には、センサを制御又は駆動する回路基板の他に、回路基板とケーブル等とを接続する端子が配置されたコネクタが設けられている（特許文献１参照）。
【０００３】
このコネクタでは、コネクタを構成する筐体の軸方向に貫通する貫通孔に、バネ性を有する長尺の端子が貫挿されており、端子は自身の先端側と後端側とが貫通孔から突出する状態で、筐体に固定されている。
【０００４】
詳しくは、端子は、長手方向において、先端側に回路基板と接続される回路接続部を備える一方、後端側にリード線と接続されるリード線接続部を備えており、両接続部の間に、平板状の中間部が設けられている。回路接続部は、２箇所の屈曲部を介して中間部に連結している。さらに、中間部には開口が設けられ、開口の先端側の端部には係止部が設けられている。
【０００５】
一方、貫通孔は、上述した端子の形状に合わせて、軸方向において内部の形状が異なるようになっている。さらに、貫通孔の開口端には延長部が設けられ、延長部には凸部が設けられている。
【０００６】
従って、端子を貫通孔に挿入すると、端子の先端側が延長部の凸部に乗り上げて撓んだ後に凸部が端子の開口に嵌り込み、端子の係止部が凸部に係止される。これによって、端子が筐体に位置決めされて固定される構成となっている。
【先行技術文献】
【特許文献】
【０００７】
【特許文献１】特開２０１７−２１６２２６号公報
【発明の概要】
【発明が解決しようとする課題】
【０００８】
しかしながら、前記従来技術では、上述したように端子を筐体に固定する構成であるので、端子（従って筐体）の構造が複雑になり、しかも、端子の中央部に端子を係止するための構成を設けるので、端子を小型化することが容易ではないという問題があった。
【０００９】
本開示の一局面は、端子の構成を簡易化でき、端子を小型化することが容易な回路接続装置及び電子機器装置を提供することを目的とする。
【課題を解決するための手段】
【００１０】
（１）本開示の一態様の回路接続装置は、長手方向の一端側にリード線が接続された複数の端子と、端子を保持位置にて保持する保持部材と、端子の保持部材からの抜けを防止する抜け防止部材と、を備えている。
【００１１】
端子は、径方向に突出する羽根部を有している。
保持部材は、保持部材に保持された端子の羽根部の一端側に係止して、端子の保持位置から一端側への移動を規制する第１規制部を有している。
【００１２】
抜け防止部材は、保持部材に係止して抜け防止部材自身と保持部材と一体に固定する係止部と、保持部材に保持された端子側に突出して羽根部に係止し、端子の他端側への移動を規制する第２規制部と、を有している。
【００１３】
このような構成によれば、保持部材の第１規制部は、保持部材に保持された端子の羽根部の一端側に係止することにより、端子の保持位置から一端側への移動を規制することができる。また、抜け防止部材の第２規制部（即ち端子側に突出する第２規制部）は、羽根部に係止することにより、端子の他端側への移動を規制することができる。さらに、抜け防止部材の係止部は、保持部材に係止して、抜け防止部材自身と保持部材とを一体に固定することができる。
【００１４】
つまり、上述した構成によって、保持部材に保持した端子が、一端側及び他端側に移動することを規制して、端子が保持部材（詳しくは保持部材に抜け防止部材が係止した結合体）から抜けることを抑制できる。
【００１５】
この回路接続装置に用いられる端子は、従来と比べて構成を簡易化できるので、端子を小型化でき、よって、回路接続装置も小型化できるという顕著な効果を奏する。
（２）本開示の一態様の回路接続装置では、保持部材は、抜け防止部材の第２規制部が嵌る凹部又は貫通孔を有していてもよい。
【００１６】
この構成によれば、保持部材の凹部又は貫通孔に抜け防止部材の第２規制部が嵌合することにより、端子の他端側への移動を確実に規制できる。
（３）本開示の一態様の回路接続装置では、第２規制部は、羽根部の他端側の端部に係止してもよい。
【００１７】
この構成によれば、他端側への移動を確実に規制できる。
（４）本開示の一態様の回路接続装置では、羽根部は、長手方向と直交する方向における両側に設けられていてもよい。
【００１８】
この構成によれば、前記両側の羽根部を、それぞれ第１規制部及び第２規制部で規制することにより、端子の長手方向への移動を確実に抑制できる。また、端子の片側ではなく両側にて端子の移動を規制することにより、端子が回転する方向への力を受けにくくなるので、端子が傾くことを抑制できる。
【００１９】
（５）本開示の一態様の回路接続装置では、羽根部は板状であり、端子の中心軸を通る平面に沿って設けられていてもよい。
この構成によれば、端子を保持部材に配置する際に、羽根部（従って端子）を保持部材に対して裏表のどちらの向きにでも配置できるので、端子を組み付ける際の作業性が向上するという利点がある。
【００２０】
（６）本開示の一態様の回路接続装置では、抜け防止部材は、複数の端子を配置した配置方向に延びる延長部を有し、延長部は、配置方向の両端部に保持部材に係止する係止部を有していてもよい。
【００２１】
この構成によれば、延長部の係止部を保持部材に係止することにより、抜け防止部材を保持部材に取り付けることができる。
また、延長部を、端子の表面（保持部材側とは反対側の表面）を覆うように配置することにより、端子が保持部材から浮き上がることを抑制できる。なお、延長部を、端子の表面に接触させてもよく、或いは、端子の表面と僅かの間隙を介して配置してもよい。
【００２２】
（７）本開示の一態様の回路接続装置では、抜け防止部材は、複数の端子を配置した配置方向に延びる延長部を有し、延長部は、複数の第２規制部を有していてもよい。
この構成によれば、端子が複数配列されている場合に、各端子の移動を規制する第２規制部を容易に配置することができる。
【００２３】
（８）本開示の別の態様の電子機器装置は、回路接続装置と、回路接続装置の複数の端子に接続された回路基板と、を備えている。
このような構成によれば、上述した端子を用いることにより、電子機器装置の構成を簡易化でき、しかも、電子機器装置を小型化できるという顕著な効果を奏する。
【００２４】
（９）本開示の別の態様の電子機器装置は、回路接続装置と、回路接続装置の複数のリード線に接続された電子機器と、を備えている。
このような構成によれば、上述した端子を用いることにより、電子機器装置の構成を簡易化でき、しかも、電子機器装置を小型化できるという顕著な効果を奏する。
【００２５】
（１０）本開示の別の態様の電子機器装置は、回路接続装置と、回路接続装置の複数の端子に接続された回路基板と、回路接続装置の複数のリード線に接続された電子機器と、を備えている。
【００２６】
このような構成によれば、上述した端子を用いることにより、電子機器装置の構成を簡易化でき、しかも、電子機器装置を小型化できるという顕著な効果を奏する。
【図面の簡単な説明】
【００２７】
【図１】第１実施形態の回路接続装置を示す斜視図である。
【図２】第１実施形態の回路接続装置を示す分解斜視図である。
【図３】図３Ａはケーブルに接続された第１端子の平面図、図３Ｂはその第１端子の正面図、図３Ｃはその第１端子の底面図、図３Ｄはその第１端子を先端側からみた右側面図である。
【図４】図４Ａは端子保持部の平面図、図４Ｂは図４ＡのIXB−IXB断面を示す断面図、図４Ｃは端子支持部の平面図、図４Ｄは図４ＣのIXD−IXD断面を示す断面図、図４Ｅは第１支持体の平面図、図４Ｆは図４ＥのIXF−IXF断面を示す断面図である。
【図５】図５Ａは端子支持部の着座用凹部の近傍を拡大して示す平面図、図５Ｂは図５Ａに示す部分の右側面図、図５Ｃは図５ＡのVC−VC断面を示す断面図である。
【図６】図６Ａは第１支持体に第１端子が配置された状態を示す斜視図、図６Ｂは図６Ａに示す部分の平面図、図６Ｃは図６ＢのVIC−VIC断面を拡大して示す断面図である。
【図７】図７Ａは端子コアの外側を示す斜視図、図７Ｂは端子コアの内側を示す斜視図、図７Ｃは端子コアの内側を図７Ｂとは異なる方向から見た状態を示す斜視図である。
【図８】図８Ａは第１支持体と第２支持体とを結合した結合体を示す平面図、図８Ｂは図８ＡのVIIIB−VIIIB断面を拡大して示す断面図である。
【図９】図９Ａは結合体の一部（即ち端子保持部の一部）を破断して示す斜視図、図９Ｂは第１端子と第２支持体との配置を第２支持体の裏側から見た状態を示す斜視図である。
【図１０】図１０Ａは結合体を示す平面図、図１０Ｂは図１０ＡのXB−XB断面を示す断面図、図１０Ｃは図１０ＡのXC−XC断面を示す断面図、図１０Ｄは図１０ＡのXD−XD断面を示す断面図である。
【図１１】第１実施形態の回路接続装置の製造方法を示す説明図である。
【図１２】第２実施形態の電子機器装置を示す説明図である。
【発明を実施するための形態】
【００２８】
以下、本開示が適用された実施形態について、図面を用いて説明する。
［１．第１実施形態］
［１−１．構成］
本第１実施形態の回路接続装置は、電子機器を制御又は駆動するための回路基板を保護しつつ、回路基板を電子機器及び制御装置に電気的に接続するための装置である。
【００２９】
図１Ａ、図１Ｂ、図２に示すように、本第１実施形態の回路接続装置１は、ケース本体３と、カバー５と、複数のケーブル７と、回路基板９と、複数の第１端子１１と、複数の第２端子１３と、第１支持体１５と、第２支持体１７と、シール材１９とを備える。
【００３０】
なお、第２支持体１７と第２端子１３により、端子コア２１が構成されている。
また、図中のＸ軸は、ケース本体３の中心軸と平行な軸であり、Ｚ軸は、回路基板９の板面と垂直な軸であり、Ｙ軸は、Ｘ軸及びＺ軸に垂直な軸である。なお、各図において、Ｘ軸、Ｙ軸、Ｚ軸の各軸方向における向き（即ちどちら側か）を示す場合には、図１Ｂに示すように、共通のＸＹＺ座標における向きにて表現した。即ち、Ｘ軸の前側（即ち回路接続装置１の前側：Ｆｒ）及び後側（即ち回路接続装置１の後側：Ｒｒ）、Ｙ軸の右側（Ｒ）及び左側（Ｌ）、Ｚ軸の上側（Ｕｐ）及び下側（Ｄｗ）のように、ＸＹＺ座標における向きを共通した表現とした。
【００３１】
なお、図２では、複数の第１端子１１が回路基板９に接続される前の形状（即ち曲げられる前の形状）を示している。
以下、各構成について説明する。
【００３２】
＜ケース本体＞
ケース本体３は、一方の端部に開口が形成され、他方の端部が閉じられた有底筒状体（即ちハウジング）である。ケース本体３は、一般に樹脂で形成される。
【００３３】
ケース本体３は、図１Ａ及び図１Ｂに示すように、中心軸方向が長手方向（図中Ｘ軸方向）と一致している。ケース本体３の内部空間には、図２に示すように、回路基板９と、第１支持体１５と、端子コア２１と、シール材１９とが収納されている。なお、ケース本体３の中心軸とは、ケース本体３の中心を通り、一端側から他端側に向かう（つまり、開口から開口とは反対側に向かう）軸を意味する。
【００３４】
また、ケース本体３には、電子部品が電気的に接続されるコネクタ２３が開口とは反対側（つまり筒状体の底面部分）に設けられている。
＜カバー＞
カバー５は、ケース本体３よりも中心軸方向の長さが短い筒状体である。カバー５は、ケース本体３と同様、一般に樹脂で形成される。
【００３５】
カバー５は、ケース本体３の開口側の端部に外嵌されることで、ケース本体３の開口を塞ぐ。カバー５には、図１Ａに示すように、複数の第１端子１１と、複数の第１端子１１に接続された複数のケーブル（即ちリード線）７とが挿入されている。具体的には、カバー５の底面側に、各第１端子１１が接続された複数のケーブル７が挿通されている。
【００３６】
＜回路基板＞
回路基板９は、図２に示すように、平面視（Ｚ軸方向から見た場合）が四角形状の外形を有する板状の部材である。なお、回路基板９は角部が面取りされていてもよい。回路基板９は、ケース本体３内に収納されている。また、回路基板９には、複数の電子部品（図示省略）が実装されている。
【００３７】
回路基板９には、複数の第１端子１１と、複数の第２端子１３とが電気的に接続される。なお、回路基板９には、複数の第１端子１１の先端部分が挿入される複数の第１スルーホール導体２５と、複数の第２端子１３の先端部分が挿入される複数の第２スルーホール導体２７とが設けられている。回路基板９は、複数の第１端子１１又は複数の第２端子１３と電気的に接続される機器との間で信号の送受信や電力の供受給を行う。
【００３８】
回路基板９には、後述する第２支持体１７の２つの位置決め部２９がそれぞれ嵌入される位置決め用の２つの基板貫通孔３１が形成されている。
＜第１端子＞
図３に示すように、各第１端子１１は、各ケーブル７の先端（つまり芯線７ａ）にそれぞれ装着された加締め端子である。なお、ケーブル７は、芯線７ａの表面を被覆層７ｂで覆った部材である。なお、図３では、曲げられる前の第１端子１１の形状を示している。
【００３９】
各第１端子１１は、銅合金（例えば、リン青銅）からなる金属板材を加工した部材である。
この第１端子１１は、第１端子１１自身の中心軸Ｏに沿って延びる（即ち長手方向であるＸ軸方向に延びる）長尺の部材であり、自身の先端側（図３Ａの右側：Ｘ軸方向後側）に回路基板９と接続される回路接続部３３を備えている。
【００４０】
また、自身の後端側（図３Ａの左側：Ｘ軸方向前側）に、ケーブル７の芯線７ａと接続される芯線接続部３５を備えるとともに、芯線接続部３５の後端側に、シール部３７を介して被覆層７ｂと接続される被覆接続部３９を備えている。
【００４１】
このシール部３７は、弾性のあるゴム等からなるチューブ状の部材である。シール部３７の後端側には、被覆接続部３９の外径よりも大きな環状部３７ａが複数個設けられている。
【００４２】
また、第１端子１１は、図３Ａに示すように、回路接続部３３と芯線接続部３５との間に、中間部４１を備えている。中間部４１は、中心軸Ｏを含む平面（即ちＸＹ平面）に沿って広がる板状の部材である。
【００４３】
なお、ここでは、中心軸Ｏに沿って延びる、回路接続部３３、中間部４１、芯線接続部３５、被覆接続部３９を備えた部分を中心部４３と称する。
本第１実施形態では、中心部４３（詳しくは中間部４１）から、図３Ａの上下方向（Ｙ軸方向右側及び左側）に張り出すように設けられた一対の羽根部４５を備えている。つまり、中間部４１と直交するＹ軸方向の両端に、一対の羽根部４５を備えている。
【００４４】
この羽根部４５は、平面視が略矩形状であり、中間部４１と同様に、中心軸Ｏを含む平面（即ちＸＹ平面）に沿って広がる板材である。つまり、羽根部４５は、中間部４１のＹ軸方向における両端部分が、それぞれＹ軸方向の外側（Ｙ軸方向右側及び左側）に延びた形状であり、厚みも中間部４１と同じである。
【００４５】
＜第１支持体＞
図４に示すように、第１支持体１５は、ケース本体３内に配置される絶縁性の部材である。この第１支持体１５は、端子保持部４７と端子支持部５１とを有する。つまり、端子保持部４７に端子支持部５１の一部を嵌め込んで、端子保持部４７と端子支持部５１とを一体結合することにより、第１支持体１５が構成されている。なお、端子保持部４７と端子支持部５１とは、それぞれ、例えば樹脂から形成される。
【００４６】
（端子支持部）
図４Ｃ、図４Ｄに示すように、端子支持部５１は、複数の第１端子１１を支持する長尺の部材である。つまり、第１端子１１の中間部４１や羽根部４５を支持する柱状の部材である。
【００４７】
詳しくは、端子支持部５１は、長手方向（図４ＣのＹ軸方向）に延びる柱状部５３を備えるとともに、柱状部５３の下部（図４ＤのＺ軸方向下側）において、Ｘ軸方向前側（図４Ｄの左側）に突出する板状の嵌合部５５とを備えている。
【００４８】
柱状部５３は、Ｘ軸方向後側（図４Ｃの右側）から順番に、長手方向に延びるように、第１柱状部５３ａ、第２柱状部５３ｂ、第３柱状部５３ｃを備えている。
第１柱状部５３ａの上面（図４ＤのＺ軸方向上側の表面）には、複数の第１端子１１の数（例えば８個）の分だけ、中間部４１及び一対の羽根部４５が嵌め込まれて着座する着座用凹部５７が設けられている。
【００４９】
この着座用凹部５７は、図５Ａに拡大して示すように、中間部４１及び一対の羽根部４５の平面形状に合致するように、平面視が略凸形状である。着座用凹部５７の底面５７ａは、中間部４１及び羽根部４５の厚み方向における表面の全体にて接触するような平面となっている。
【００５０】
なお、図５Ａに示すように、中間部４１及び羽根部４５が着座用凹部５７に配置される第１端子１１の位置が、第１端子１１の保持位置である。なお、着座用凹部５７によって、第１端子１１のＺ軸方向下側への移動が規制されている。
【００５１】
また、着座用凹部５７の周囲のうち一部には、第１端子１１（詳しくは中間部４１及び一対の羽根部４５）の位置がずれないように、Ｚ軸方向上側（図５Ｃの上側）に向かって突出する壁部Ｋが設けられている。
【００５２】
詳しくは、着座用凹部５７のうち、各羽根部４５が配置される部分のＸ軸方向後側（図５Ａの右側）には、各羽根部４５のＸ軸方向後側への移動を規制する壁部Ｋである第１規制部６１が、それぞれ立設されている。
【００５３】
なお、図５Ｂに示すように、一対の第１規制部６１の間の切り欠き６３には、壁部Ｋは設けられておらず、この切り欠き６３に、第１端子１１の中間部４１からＸ軸方向後側（図５Ａ参照）に延びる回路接続部３３（斜線で示す部分）が配置されている。
【００５４】
また、図５Ａに示すように、着座用凹部５７のうち、各羽根部４５が配置される部分のＹ軸方向における各外側（Ｙ軸方向右側及び左側）には、各羽根部４５のＹ軸方向への移動を規制する壁部Ｋである第３規制部６５が、それぞれ立設されている。
【００５５】
図４Ｃ、図５Ａ、図５Ｃに示すように、第２柱状部５３ｂには、長手方向に沿って、複数の第１端子１１が配置される位置に合わせて、即ち、各第１端子１１の間の位置に、それぞれ規制用凹部６７が設けられている。なお、規制用凹部６７は、図４Ｃに示すように、各第１端子１１の間だけでなく、Ｙ軸方向の両端（即ち外側の各第１端子１１よりも外側）にも設けられている。
【００５６】
この規制用凹部６７は、平面視が矩形状であり、後述する第２支持体１７の凸状の第２規制部６９（図５Ａ、図５Ｃ参照）が嵌り込む凹部である。
なお、第２柱状部５３ｂには、規制用凹部６７とは別に、図４Ｃ、図４Ｄに示すように、２箇所に貫通孔７１が設けられている。
【００５７】
また、第３柱状部５３ｃは、長手方向に延び、後端側に嵌合部５５を有している。さらに、第３柱状部５３ｃは、後述する係合突起７５が挿通される貫通孔７７を有している。この第３柱状部５３ｃは、端子保持部４７の内側に嵌め込まれる部位である（図４Ｆ参照）。
【００５８】
（端子保持部）
図４Ａ、図４Ｂに示すように、端子保持部４７は、複数の第１端子１１がＸ軸方向に挿通される部材である。この端子保持部４７は、図４Ａに示すように、長手方向（Ｙ軸方向）に延びる柱状の部材であり、その上部（図４ＢのＺ軸方向上側）には、複数の貫通孔４９を有する。複数の貫通孔４９は、Ｘ軸方向に延伸している。
【００５９】
端子保持部４７の下部には、長手方向に沿って、端子支持部５１の嵌合部５５が嵌り込む形状の嵌合凹部７３、即ち長手方向に延びる板状の空間である嵌合凹部７３が形成されている。
【００６０】
また、端子保持部４７のＸ軸方向後側（図４Ａの右側）には、Ｘ軸方向後側に向かって突出する一対の係合突起７５が設けられている。
（端子支持部と端子保持部との結合）
端子支持部５１と端子保持部４７とを結合することによって、図４Ｅ、図４Ｆに示すような形状の第１支持体１５が構成される。
【００６１】
詳しくは、図４Ｆに示すように、端子支持部５１の嵌合部５５が端子保持部４７の嵌合凹部７３に挿入され、且つ、端子保持部４７の係合突起７５が端子支持部５１の貫通孔７７に通されて、その先端の一部が貫通孔７１に嵌って被係合部７９に係止することで、端子支持部５１と端子保持部４７とが一体に結合している。
【００６２】
（第１支持体における第１端子の支持）
図６に示すように、第１支持体１５には、それぞれケーブル７が接続された複数の第１端子１１が配置されている。なお、図６は、第１端子１１の先端が曲げられる前の状態を示している。
【００６３】
つまり、図６Ｃに示すように、第１支持体１５の貫通孔４９に対して、シール部３７を備えた第１端子１１が図６Ｃの左側から右側に挿通されて、第１端子１１の中間部４１及び羽根部４５が、着座用凹部５７に着座するように配置されている。
【００６４】
これにより、前記図５に示すように、第１端子１１（詳しくは羽根部４５）のＸ軸方向後側への移動が第１規制部６１によって規制され、第１端子１１（詳しくは羽根部４５）のＹ軸方向への移動が第３規制部６５によって規制された状態となる。また、第１端子１１（詳しくは中間部４１及び羽根部４５）のＺ軸方向下側への移動が着座用凹部５７によって規制された状態となる（図１０Ｃ参照）。
【００６５】
なお、第１端子１１の挿通の際に、シール部３７の環状部３７ａは貫通孔４９に圧入されるので、その部分で気密されるとともに、第１端子１１が固定される。    
＜第２支持体＞
前記図２に示すように、第２支持体１７は、第１支持体１５と共に、ケース本体３内に配置される絶縁性の部材である。第２支持体１７は、第１支持体１５に係合可能に構成されている。第２支持体１７は、例えば樹脂から形成される。
【００６６】
第２支持体１７は、複数の第２端子１３をインサートした樹脂成型部品である。このように、第２支持体１７と第２端子１３とから構成される端子コア２１はケース本体３内に配置されている。
【００６７】
図７に示すように、第２支持体１７は、Ｙ軸方向の両端に配置されてそれぞれＸ軸方向に延びる長尺の枠部８１と、両枠部８１のＸ軸方向後側（第２端子１３が配置される側）に配置されて、両枠部８１を連結するように延びる第１梁部８３と、第１梁部８３より前側にて、両枠部８１を連結するようにＹ軸方向に延びる第２梁部８５と、第２梁部８５より前側にて、両枠部８１を連結するようにＹ軸方向に延びる第３梁部（即ち延長部）８７と、回路基板９との位置関係を保持する２つの位置決め部２９と、端子支持部５１に係止する２つの係止部８９とを有する。
【００６８】
第１梁部８１には、図７Ａに示すように、第１梁部８１をＸ軸方向に貫通するように、複数（例えば３本）の第２端子１３が配置されている。なお、第２端子１３の先端側（即ち第３梁部８７側）の先端部１４は、Ｚ軸方向下側（即ち回路基板９側）に向かって、垂直に曲げられている。
【００６９】
第３梁部８７には、図７Ｂに示すように、そのＺ軸方向下側の面（即ち第１支持体１５側の面）に、長手方向（Ｙ軸方向）に沿って、Ｚ軸方向下側に突出する複数の第２規制部６９が設けられている。
【００７０】
この複数の第２規制部６９のうち、Ｙ軸方向における中央側の７個の第２規制部６９は略立方体のブロック形状である。また、前記中央側の７個の第２規制部６９の外側、即ちＹ軸方向における両外側に配置された一対の第２規制部６９の形状は板状である。
【００７１】
上述した第２規制部６９は、前記図５に示すように、規制用凹部６７に対して図５Ｃの上方から下方に（即ちＺ軸方向の上側から下側に）嵌められて、第１端子１１（詳しくは各羽根部４５）のＸ軸方向前側（図５Ｃの左側）の端部に係止して、第１端子１１のＸ軸方向前側への移動を規制するものである。
【００７２】
なお、図７Ｂに示すように、各第２規制部６９より前側（Ｚ軸方向前側）には、それぞれ段部７０が設けられている。各段部７０のＺ軸方向下側（図７Ｂの上側）における高さは、各第２規制部６９の高さよりも低くなっている。
【００７３】
一対の位置決め部２９は、図７Ｂに示すように、両枠部８１の後端側において、Ｚ軸方向下側（即ち図７Ｂの上側である回路基板９側）に突出するように設けられている。この位置決め部２９は、回路基板９の基板貫通孔３１（図２参照）に嵌め込まれる部材である。
【００７４】
一対の係止部８９は、図７Ｂに示すように、両枠部８１のＸ軸方向前側、つまり、第３梁部８７のＹ軸方向の両端において、Ｚ軸方向下側（即ち第１支持体１５側）に突出するように設けられている。なお、各係止部８９の先端には、内側に向けて対向するように突出する突起８９ａが設けられている。
【００７５】
この一対の係止部８９は、第１支持体１５の端子支持部５１の第２柱状部５３ｂの外側に係止する部材である。詳しくは、一対の係止部８９は、後述するように、第２支持体１７が第１支持体１５に取り付けられる際に、図４Ｅ、図４Ｆに示すように、第２柱状部５３ｂの長手方向（Ｙ軸方向）における両端部に対して、第２柱状部５３ｂを挟むようにして、外側から係止する部材である。
【００７６】
＜シール材＞
シール材１９は、図２に示すように、第１支持体１５とケース本体３との間を封止する環状の部材である。シール材１９は、第１支持体１５の端子保持部４７の外周面に取り付けられている。シール材１９は、例えばゴムで形成される。
【００７７】
［１ー２．両支持体の結合状態］
次に、第１支持体１５と第２支持体１７の結合状態について説明する。
図８及び図９に示すように、第１支持体１５のＸ軸方向後側（図８の右側）に、第２支持体１７が係止して、第１支持体１５と第２支持体１７とが一体に固定されている。
【００７８】
詳しくは、第１支持体１５の端子支持部５１のＸ軸方向後側における上面側（図８ＢのＺ軸方向上側）に、第２支持体１７の第３梁部８７が配置されている。そして、第３梁部８７の係止部８９が、端子支持部５１の第２柱状部５３ｂの下部（図８ＢのＺ軸方向下側）に係止することで、第２支持体１７が第１支持体１５に取り付けられている。
【００７９】
なお、図８Ｂに示すように、第２支持体１７が第１支持体１５に結合される際に、第２支持体１７の段部７０が、第１端子１１の中間部４１よりＸ軸方向前側（図８Ｂの左側）において、第１端子１１の上面側（Ｚ軸方向上側）に当接して、第１端子１１が上方に移動することを規制している。
【００８０】
また、第２支持体１７が第１支持体１５に取り付けられることにより、図１０Ｂ及び前記図５に示すように、第３梁部８７の第２規制部６９が、端子支持部５１の第２柱状部５３ｂの規制用凹部６７に嵌め込まれる。これによって、羽根部４５のＸ軸方向前側（図１０Ａの左側）への移動が規制される。
【００８１】
そして、上述のように、第１支持体１５と第２支持体１７とが結合することによって、図８〜図１０に示すような結合体９１が得られる。
なお、図１０Ｄに示すように、複数の第１端子１１の回路接続部３３は、回路基板９側（図１０Ｄの下側：Ｚ軸方向下側）に垂直に曲げられており、後述するように、回路基板９の複数の第１スルーホール導体２５にそれぞれ挿入されて半田付けされている。
【００８２】
［１ー３．製造方法］
次に、本第１実施形態の回路接続装置１の製造方法、つまり、組み立て方法について、図１１に基づいて説明する。
【００８３】
回路接続装置１の製造方法は、第１支持体１５を組み立てる第１工程、第１支持体１５に第２支持体１７を係合する第２工程、第１支持体１５及び第２支持体１７をケース本体３内に挿入する第３工程とを備える。
【００８４】
（第１工程）
本工程では、図１１Ａに示すように、まず、カバー５に複数の第１端子１１を挿通する。
また、図１１Ｂに示すように、端子支持部５１と端子保持部４７とを結合し、第１支持体１５を組み立てる。さらに、シール材１９を端子保持部４７に取り付ける。
【００８５】
（第２工程）
本工程では、図１１Ｃに示すように、まず、複数の第１端子１１を端子保持部４７に挿通し、複数の第１端子１１の先端側（即ち中間部４１や羽根部４５）を端子支持部５１で支持する。その後、複数の第１端子１１の回路接続部３３をＺ軸方向下側（図１１Ｃの下方）に屈曲させる。
【００８６】
この状態で、第２支持体１７を第１支持体１５に係合する。つまり、第２支持体１７の係止部８９を第１支持体１５の第２柱状部５３ｂに係止する。この際に、第２支持体１７の第２規制部６９が第１支持体１５の規制用凹部６７に嵌合する（図５参照）。
【００８７】
次に、図１１Ｄに示すように、第２支持体１７に対して、回路基板９を２つの位置決め部２９によって装着する。
このとき、複数の第１端子１１の回路接続部３３は、回路基板９の複数の第１スルーホール導体２５に挿通され、複数の第２端子１３の先端部１４は、回路基板９の複数の第２スルーホール導体２７に挿通される。これらの端子１１、１３は、半田付けにより、回路基板９に接続される。
（第３工程）
本工程では、図１１Ｅに示すように、第１支持体１５、第２支持体１７、及び回路基板９を含む回路部品を、ケース本体３内に挿入する。
【００８８】
次に、図１１Ｆに示すように、カバー５とケース本体３とを結合することにより、回路接続装置１が得られる。
［１−４．効果］
以上詳述した本第１実施形態によれば、以下の効果が得られる。
【００８９】
（１ａ）本第１実施形態の回路接続装置１では、第１支持体１５の端子支持部５１の第１規制部６１は、第１支持体１５に保持された第１端子１１の羽根部４５のＺ軸方向後側（即ち第１端子１１の先端側）に係止することにより、第１端子１１の保持位置からＺ軸方向後側への移動を規制することができる。
【００９０】
また、第２支持体１７は係止部８９によって第１支持体１５と係合して、一体の結合体９１となっている。この結合体９１となることにより、第２支持体１７の第２規制部６９が、端子支持部５１側に突出して規制用凹部６７に嵌って羽根部４５のＺ軸方向前側（即ち第１端子１１の後端側）に係止する。これにより、第１端子１１のＸ軸方向前側への移動を規制することができる。
【００９１】
つまり、上述した構成によって、第１支持体１５に保持した第１端子１１が、Ｘ軸方向における前後方向に移動することを規制して、第１端子１１が第１支持体１５（従って結合体９１）から抜けることを抑制できる。
【００９２】
この回路接続装置１に用いられる第１端子１１は、従来と比べて構成を簡易化できるので、第１端子１１を小型化でき、よって、回路接続装置１も小型化できるという顕著な効果を奏する。
【００９３】
（１ｂ）本第１実施形態では、第２規制部６９は、羽根部４５のＺ軸方向前側の端部に係止する。よって、第１端子１１に第２規制部６９が嵌るような孔等を設ける必要がないので、第１端子１１の構成を一層簡易化できる。
【００９４】
（１ｃ）本第１実施形態では、羽根部４５は、長手方向と直交する方向（Ｙ軸方向）における両側（即ち中心部４３を挟んだ両側）に設けられている。
従って、第１端子１１の両側の一対の羽根部４５を、それぞれ第１規制部６１や第２規制部６９で規制することにより、第１端子１１が傾くことを抑制して、第１端子１１の長手方向への移動を確実に抑制できる。
【００９５】
（１ｄ）本第１実施形態では、羽根部４５は板状であり、第１端子１１の中心軸Ｏを通る平面に設けられている。
従って、第１端子１１を第１支持体１５に配置する際に、羽根部４５（従って第１端子１１）を第１支持体１５に対して裏表のどちらの向きにでも配置できるので、第１端子１１を組み付ける際の作業性が向上するという利点がある。
【００９６】
（１ｅ）本第１実施形態では、第３梁部８７の両端の係止部８９を第１支持体１５に係止することにより、第２支持体１７を第１支持体１５に容易に取り付けることができる。
また、第３梁部８７を、第１端子１１の表面（端子支持部５１側とは反対側の表面）を覆うように配置することにより、第１端子１１の浮き上がりを抑制することができる。
【００９７】
（１ｆ）本第１実施形態では、第３梁部８７に複数の第２規制部６９を備えているので、第１支持体１５に第１端子１１が複数配列されている場合に、各第１端子１１の移動を好適に抑制できる。
【００９８】
［１−５．文言の対応関係］
ここで、特許請求の範囲と実施形態とにおける文言の対応関係について説明する。
本第１実施形態の、ケーブル７、第１端子１１、第１支持体１５、第２支持体１７、中心部４３、羽根部４５、第１規制部６１、係止部８９、第２規制部６９、規制用凹部６７、第３梁部８７、回路接続装置１、回路基板９は、それぞれ、本開示の、リード線、端子、保持部材、抜け防止部材、中心部、羽根部、第１規制部、係止部、第２規制部、凹部、延長部、回路接続装置、回路基板の一例に相当する。
【００９９】
［２．第２実施形態］
次に、第２実施形態について説明するが、第１実施形態と同様な内容については、その説明は省略又は簡略化する。なお、第１実施形態と同様な構成には、同様な番号を付す。
【０１００】
図１２に示すように、本第２実施形態の電子機器装置１０１は、回路接続装置１と、複数の第１端子１１にケーブル７を介して電気的に接続された電子機器１０３とを備える。
電子機器１０３としては、ヒーター、物理量又は化学量を検出するセンサ等が挙げられる。センサとしては、例えば排ガス中の酸素濃度を検出するガスセンサや被測定流体の温度を検出する温度センサが挙げられる。
【０１０１】
なお、回路接続装置１の複数の第２端子１３は、複数のケーブル１０５を介して、例えば車両の制御を行う電子制御装置（図示せず）等に接続される。
以上詳述した構成の第２実施形態によれば、第１実施形態と同様な効果が得られる。さらに、上述した第１端子１１等を用いることにより、電子機器装置１０１の構成を簡易化でき、しかも、電子機器装置１０１を小型化できるという顕著な効果を奏する。
【０１０２】
［３．他の実施形態］
以上、本開示の実施形態について説明したが、本開示は、上記実施形態に限定されることなく、種々の形態を採り得ることは言うまでもない。
【０１０３】
（３ａ）羽根部は、平板でなくてもよい。例えば、厚み方向の一方に曲がっていてもよい。或いは、棒状や筒状であってもよい。羽根部は、中央部の左右（即ちＹ軸方向の両側）のどちらか一方のみに設けてもよい。
【０１０４】
（３ｂ）羽根部の平面視の形状は、矩形状に限らず、例えば三角形等の多角形でもよく、或いは、円形や楕円形等のように外周が湾曲した形状でもよい。つまり、羽根部が第１規制部に係止して、第１端子のＸ軸方向後側（例えば図５Ａの右側）への移動を阻止するように規制できればよい。
【０１０５】
（３ｃ）第２規制部は羽根部に係止して、第１端子がＸ軸方向前側（例えば図５Ａの左側）に移動することを係止できればよい。従って、第２規制部が羽根部のＸ軸方向前側の端部に係止する構成に限らず、例えば第２規制部が、平面視で羽根部の周囲（例えばＹ軸方向の端部）に設けられた凹部に係止したり、羽根部を貫通する孔等に係止する構成を採用できる。
【０１０６】
（３ｄ）規制用凹部や第２規制部の平面視の形状は、矩形状に限らず、例えば三角形等の多角形でもよく、或いは、円形や楕円形等のように外周が湾曲した形状でもよい。つまり、第２規制部と規制用凹部とが係合して、羽根部（従って第１端子）のＸ軸方向前側への移動を阻止するように、規制できればよい。
【０１０７】
（３ｅ）上記実施形態では、第１規制部が嵌め込まれる構成として、規制用凹部のような凹部を用いたが、凹部ではなく貫通孔を採用してよい。つまり、第１規制部が端子支持部の貫通孔に嵌め込まれて、羽根部の移動を規制できればよい。
【０１０８】
（３ｆ）第１端子は必ずしも加締め端子である必要はなく、他の端子を使用してもよい。
（３ｇ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【０１０９】
１…回路接続装置
７…ケーブル
９…回路基板
１１…第１端子
１５…第１支持体
１７…第２支持体
４３…中心部
４５…羽根部
６１…第１規制部
６７…規制用凹部
６９…第２規制部
８７…第３梁部
８９…係止部
１０１…電子機器装置
１０３…電子機器
【図１】
2020102373.tif 000003
【図２】
2020102373.tif 000004
【図３】
2020102373.tif 000005
【図４】
2020102373.tif 000006
【図５】
2020102373.tif 000007
【図６】
2020102373.tif 000008
【図７】
2020102373.tif 000009
【図８】
2020102373.tif 000010
【図９】
2020102373.tif 000011
【図１０】
2020102373.tif 000012
【図１１】
2020102373.tif 000013
【図１２】
2020102373.tif 000014